(57)【要約】【課題】連続する複数の映像間の干渉（クロストーク）を抑制することが可能な映像処理装置、表示装置および表示システムを提供する。【解決手段】映像信号処理部４１から現在出力されている映像信号（左眼用映像信号ＤＬまたは右眼用映像信号ＤＲ）とは異なる他の映像信号（右眼用映像信号ＤＲまたは左眼用映像信号ＤＬ）のうち、現在の映像信号の直前に出力された映像信号を、そのままもしくはその輝度階調を置換したのちに、フレームメモリ４２に保持させる。オーバードライブ処理部４４において、フレームメモリ４２に保持されている映像信号Ｄ２の輝度階調と、映像信号処理部４１から現在出力されている映像信号Ｄ１の輝度階調とに応じて、映像信号Ｄ１に対してオーバードライブ処理を行う。オーバードライブ処理後の映像信号Ｄ３に基づく表示輝度と、目標輝度とのずれが低減される。【選択図】図９
2010282089.tif 000002
【特許請求の範囲】
【請求項１】
それぞれが時系列に沿った複数の単位映像からなる複数の映像ストリームに対して、各単位映像が複数回ずつ連続して出力されると共に出力対象の映像ストリームが時分割的に順次切り換えられるように出力制御を行う映像処理部と、
前記映像処理部から現在出力されている単位映像である現単位映像が属する映像ストリームとは異なる他の映像ストリームに属する単位映像のうち、前記現単位映像の直前に出力された単位映像である直前単位映像を、そのまま、またはその輝度階調を置換したのちに一旦保持するためのフレームメモリと、
前記フレームメモリに保持されている単位映像である保持単位映像の輝度階調と、前記現単位映像の輝度階調とに応じて、前記現単位映像に対してオーバードライブ処理を行うオーバードライブ処理部と
を備えた映像処理装置。
【請求項２】
前記オーバードライブ処理部は、前記単位映像が複数回ずつ連続して出力される際の各回のオーバードライブ処理において、前記保持単位映像の輝度階調と前記現単位映像の輝度階調とに応じたオーバードライブ量を規定するルックアップテーブル（ＬＵＴ）として、互いに異なるものを用いる
請求項１に記載の映像処理装置。
【請求項３】
各回に対応する互いに異なる複数のＬＵＴのうち、
１回目の出力の際に用いるＬＵＴでは、前記現単位映像において前記保持単位映像との輝度階調差がより大きくなる方向にオーバードライブ量が設定されており、
２回目以降の出力の際に用いるＬＵＴでは、１回目の出力の際のオーバードライブ処理後において目標輝度階調に保持もしくは到達させるための微調整用のオーバードライブ量が設定されている
請求項２に記載の映像処理装置。
【請求項４】
前記映像処理部は、前記直前単位映像の輝度階調を置換して置換単位映像を生成すると共に、この置換単位映像を前記フレームメモリに保持させる
請求項１ないし請求項３のいずれか１項に記載の映像処理装置。
【請求項５】
前記映像処理部は、前記直前単位映像の輝度階調と、その直前単位映像が出力された時点における前記保持単位映像の輝度階調とに応じた置換量を規定する置換用ルックアップテーブル（ＬＵＴ）を用いて、前記置換単位映像を生成する
請求項４に記載の映像処理装置。
【請求項６】
前記置換用ＬＵＴでは、前記保持単位映像の高輝度階調から前記直前単位映像の低輝度階調への階調遷移である場合、または、前記保持単位映像の低輝度階調から前記直前単位映像の中間輝度階調への階調遷移である場合に、前記置換量が設定されている
請求項５に記載の映像処理装置。
【請求項７】
前記映像処理部は、前記直前単位映像を、そのまま前記フレームメモリに保持させる
請求項１ないし請求項３のいずれか１項に記載の映像処理装置。
【請求項８】
前記複数の映像ストリームが、互いに視差を有する左眼用映像ストリームおよび右眼用映像ストリームである
請求項１に記載の映像処理装置。
【請求項９】
それぞれが時系列に沿った複数の単位映像からなる複数の映像ストリームに対して、各単位映像が複数回ずつ連続して出力されると共に出力対象の映像ストリームが時分割的に順次切り換えられるように出力制御を行う映像処理部と、
前記映像処理部から現在出力されている単位映像である現単位映像が属する映像ストリームとは異なる他の映像ストリームに属する単位映像のうち、前記現単位映像の直前に出力された単位映像である直前単位映像を、そのまま、またはその輝度階調を置換したのちに一旦保持するためのフレームメモリと、
前記フレームメモリに保持されている単位映像である保持単位映像の輝度階調と、前記現単位映像の輝度階調とに応じて、前記現単位映像に対してオーバードライブ処理を行うオーバードライブ処理部と、
前記オーバードライブ処理がなされた後の各現単位映像に基づいて映像表示を行う表示部と
を備えた表示装置。
【請求項１０】
前記表示部が、液晶素子を用いて構成された液晶表示部である
請求項９に記載の表示装置。
【請求項１１】
それぞれが時系列に沿った複数の単位映像からなる複数の映像ストリームを、時分割的に順次切り換えて映像表示を行う表示装置と、
前記表示装置における切り換え表示に同期した開閉動作を行うシャッター眼鏡と
を備え、
前記表示装置は、
前記複数の映像ストリームに対して、各単位映像が複数回ずつ連続して出力されると共に出力対象の映像ストリームが時分割的に順次切り換えられるように出力制御を行う映像処理部と、
前記映像処理部から現在出力されている単位映像である現単位映像が属する映像ストリームとは異なる他の映像ストリームに属する単位映像のうち、前記現単位映像の直前に出力された単位映像である直前単位映像を、そのまま、またはその輝度階調を置換したのちに一旦保持するためのフレームメモリと、
前記フレームメモリに保持されている単位映像である保持単位映像の輝度階調と、前記現単位映像の輝度階調とに応じて、前記現単位映像に対してオーバードライブ処理を行うオーバードライブ処理部と、
前記オーバードライブ処理がなされた後の各現単位映像に基づいて映像表示を行う表示部と
を有する表示システム。
【発明の詳細な説明】
【技術分野】
【０００１】
本発明は、映像信号に対してオーバードライブ処理を行う映像処理装置、並びにそのような映像処理装置を備えた表示装置および表示システムに関する。
【背景技術】
【０００２】
近年、薄型テレビ、携帯端末装置のディスプレイとして、画素毎にＴＦＴ（Thin Film Transistor；薄膜トランジスタ）を設けたアクティブマトリクス型の液晶表示装置（ＬＣＤ；Liquid Crystal Display）が多く用いられている。このような液晶表示装置では、一般に、画面上部から下部に向かって、各画素の補助容量素子および液晶素子に映像信号が線順次に書き込まれることにより各画素が駆動される。
【０００３】
ところで、液晶表示装置では、その用途に応じて、１フレーム期間を多分割し、分割した時間毎に異なる映像を表示させる駆動（以下、時分割駆動という）が行われている。このような時分割駆動方式を用いた液晶表示装置としては、例えばフィールドシーケンシャル方式を用いた液晶表示装置（例えば、特許文献１参照）や、いわゆるシャッター眼鏡を用いた立体映像表示システム（例えば、特許文献２〜４参照）等が挙げられる。
【０００４】
フィールドシーケンシャル方式は、１フレーム期間を３分割し、赤（Ｒ）、緑（Ｇ）、青（Ｂ）の各色に対応した映像を順次書き込むと共に、各映像の書き込みに同期してバックライトからＲ，Ｇ，Ｂの色光を発光させることによりカラー表示を行う駆動方式である。液晶表示装置では、通常１つの画素を赤（Ｒ）、緑（Ｇ）および青（Ｂ）の複画素に空間的に分割しているため光の利用効率が悪くなるが、このような駆動方式を採用することにより、利用効率を向上させることができる。
【０００５】
シャッター眼鏡を用いた立体映像表示システムでは、１フレーム期間を２分割し、左眼用および右眼用の映像として互いに視差を有する２枚の映像を交互に表示させる。またこの各映像の表示に同期して左眼および右眼の開閉を切り替えるシャッター眼鏡を用いるものである。観察者がシャッター眼鏡をかけて表示映像を観察することにより、立体的な映像として認識される。
【先行技術文献】
【特許文献】
【０００６】
【特許文献１】特開２００１−３１８３６３号公報
【特許文献２】特開平９−１３８３８４号公報
【特許文献３】特開２０００−３６９６９号公報
【特許文献４】特開２００３−４５３４３号公報
【特許文献５】特開２００５−１０７５３１号公報
【発明の概要】
【発明が解決しようとする課題】
【０００７】
ところが、上記のような時分割駆動方式を用いた液晶表示装置では、連続する映像同士の間で混ざり込み（干渉、クロストーク）が生じてしまう場合がある。クロストークが生じた場合、フィールドシーケンシャル方式では色味が異なって見えたり、あるいは立体映像表示システムでは左右逆の映像を観察することになり、正常な立体映像として認識されにくくなる。特に時分割駆動方式では、１フレーム期間内に各映像が画面の上部から下部へ向けて線順次で書き込まれるため、画面の上部および下部においてクロストークが強く生じる。
【０００８】
このようなクロストークは、液晶表示装置における応答速度不足や、シャッター眼鏡におけるシャッターのコントラスト不足など、表示装置やシャッター眼鏡の特性上の理由により生ずるものである。
【０００９】
そこで、以下のような連続書き込み方式を用いることが考えられる。この方式では、まず、１フレーム期間内に、各単位映像を複数回ずつ連続して出力する（書き込みを行う）。そして、その連続書き込みによって液晶が十分に応答して所望の輝度を保持している期間に、バックライトを点灯させたり、シャッターを開いたりする。これにより、画面全体が同一映像を表示している期間にのみ、バックライトを点灯あるいはシャッターを開とすることができるため、クロストークを抑制することが可能となると考えられる。
【００１０】
また、液晶の応答速度不足を補うための手法としては、従来よりオーバードライブ処理が提案されている（例えば、特許文献５参照）。ところが、上記のような時分割駆動方式による映像表示時には、複数の映像が常に繰り返して表示されるため、液晶が定常状態に落ち着くことがない場合が多い。したがって、従来の定常状態からの遷移を前提としたオーバードライブ処理を時分割駆動方式による映像表示動作にそのまま適用した場合、最適な印加電圧値を得られず、目標輝度とのずれが生じるため、クロストークが発生してしまうことになる。
【００１１】
また、上記した連続書き込み方式による映像表示動作に従来のオーバードライブ処理をそのまま適用した場合には、連続書き込みの回ごとに、映像が互いに同一か否かによらず、常に直前の単位映像の輝度階調と現在の単位映像の輝度階調とに応じてオーバードライブ処理を行うことになる。したがって、オーバードライブ処理の機能を十分には発揮することができないことから、同様に目標輝度とのずれが生じ、クロストークが発生してしまうことになる。
【００１２】
このようにして従来の手法では、時分割駆動方式による映像表示時に、連続する複数の映像間のクロストークを十分には抑制することができず、改善する手法の実現が望まれていた。なお、これまで説明したようなクロストークの問題は、液晶表示装置の場合には限られず、他の種類の表示装置においても発生し得るものである。
【００１３】
本発明はかかる問題点に鑑みてなされたもので、その目的は、連続する複数の映像間の干渉（クロストーク）を抑制することが可能な映像処理装置、表示装置および表示システムを提供することにある。
【課題を解決するための手段】
【００１４】
本発明の映像処理装置は、それぞれが時系列に沿った複数の単位映像からなる複数の映像ストリームに対して、各単位映像が複数回ずつ連続して出力されると共に出力対象の映像ストリームが時分割的に順次切り換えられるように出力制御を行う映像処理部と、この映像処理部から現在出力されている単位映像である現単位映像が属する映像ストリームとは異なる他の映像ストリームに属する単位映像のうち、この現単位映像の直前に出力された単位映像である直前単位映像を、そのまま、またはその輝度階調を置換したのちに一旦保持するためのフレームメモリと、このフレームメモリに保持されている単位映像である保持単位映像の輝度階調と、上記現単位映像の輝度階調とに応じて、現単位映像に対してオーバードライブ処理を行うオーバードライブ処理部とを備えたものである。ここで、「映像ストリーム」とは、時系列上に沿った一連の単位映像の並びのことを意味しており、例えば、立体映像表示を行う場合における、左眼用映像ストリームや右眼用映像ストリームなどが挙げられる。また、例えば６０Ｈｚの映像ストリームの場合、静止画が６０Ｈｚの周期で連続的に切り替わることになるが、この静止画一枚一枚が、上記「単位映像」に対応している。
【００１５】
本発明の表示装置は、上記本発明の映像処理装置と、上記オーバードライブ処理がなされた後の各現単位映像に基づいて映像表示を行う表示部とを備えたものである。
【００１６】
本発明の表示システムは、それぞれが時系列に沿った複数の単位映像からなる複数の映像ストリームを、時分割的に順次切り換えて映像表示を行う上記本発明の表示装置と、この表示装置における切り換え表示に同期した開閉動作を行うシャッター眼鏡とを備えたものである。
【００１７】
本発明の映像処理装置、表示装置および表示システムでは、上記複数の映像ストリームに対し、各単位映像が複数回ずつ連続して出力されると共に出力対象の映像ストリームが時分割的に順次切り換えられるように、映像処理部において出力制御が行われる。また、この映像処理部から現在出力されている単位映像（現単位映像）が属する映像ストリームとは異なる他の映像ストリームに属する単位映像のうち、この現単位映像の直前に出力された単位映像（直前単位映像）が、そのまま、またはその輝度階調を置換したのちに、フレームメモリに一旦保持される。そして、このフレームメモリに保持されている単位映像（保持単位映像）の輝度階調と上記現単位映像の輝度階調とに応じて、現単位映像に対してオーバードライブ処理が行われる。これにより、単位映像が複数回ずつ連続して出力される際の回ごとに、現単位映像とその直前の単位映像とが同一の映像ストリームに属しているか否かによらず、常に直前の単位映像の輝度階調と現単位映像の輝度階調とに応じてオーバードライブ処理を行う場合と比べ、オーバードライブ処理後の各単位映像に基づく表示輝度と、目標輝度とのずれが低減される。
【発明の効果】
【００１８】
本発明の映像処理装置、表示装置および表示システムによれば、現単位映像が属する映像ストリームとは異なる他の映像ストリームに属する単位映像のうち、この現単位映像の直前に出力された直前単位映像を、そのまま、またはその輝度階調を置換したのちにフレームメモリに一旦保持させると共に、このフレームメモリに保持されている保持単位映像の輝度階調と上記現単位映像の輝度階調とに応じて、現単位映像に対してオーバードライブ処理を行うようにしたので、常に直前の単位映像の輝度階調と現単位映像の輝度階調とに応じてオーバードライブ処理を行う場合と比べ、オーバードライブ処理後の各単位映像に基づく表示輝度と目標輝度とのずれを低減することができる。よって、連続する複数の単位映像間の干渉（クロストーク）を抑制することが可能となる。
【図面の簡単な説明】
【００１９】
【図１】本発明の第１の実施の形態に係る表示装置を備えた表示システムの全体構成を表すブロック図である。
【図２】図１に示した画素の詳細構成例を表す回路図である。
【図３】オーバードライブ処理用のルックアップテーブルの一例を表す模式図である。
【図４】図１に示した表示システムにおける立体映像表示動作の概要を表す模式図である。
【図５】従来の立体映像表示動作の際に生じ得るクロストークについて説明するためのタイミング図である。
【図６】図１に示した表示システムにおける立体映像表示動作の概要を表すタイミング図である。
【図７】比較例に係るオーバードライブ処理について説明するためのタイミング図である。
【図８】図７に示したオーバードライブ処理を施した場合における表示輝度の応答波形の一例を表すタイミング波形図である。
【図９】第１の実施の形態に係るオーバードライブ処理について説明するためのタイミング図である。
【図１０】図９に示したオーバードライブ処理を施した場合における表示輝度の応答波形の一例を表すタイミング波形図である。
【図１１】本発明の第２の実施の形態に係るオーバードライブ処理について説明するためのタイミング図である。
【図１２】置換用ルックアップテーブルの一例を表す模式図である。
【図１３】図１１に示したオーバードライブ処理を施した場合における表示輝度の応答波形の一例を表すタイミング波形図である。
【図１４】本発明の変形例１に係るオーバードライブ処理について説明するためのタイミング図である。
【図１５】本発明の変形例２に係るオーバードライブ処理について説明するためのタイミング図である。
【図１６】本発明の変形例３に係る表示システムにおけるマルチ映像表示動作の概要を表す模式図である。
【発明を実施するための形態】
【００２０】
以下、本発明の実施の形態について、図面を参照して詳細に説明する。なお、説明は以下の順序で行う。
１．第１の実施の形態（２つのオーバードライブ処理用ＬＵＴを用いた立体映像表示）
２．第２の実施の形態（更に置換用ＬＵＴをも用いた立体映像表示）
３．変形例
変形例１（３つのオーバードライブ処理用ＬＵＴを用いた立体映像表示）
変形例２（更に置換用ＬＵＴをも用いた立体映像表示）
変形例３（マルチ映像表示システムに適用した場合）
【００２１】
＜第１の実施の形態＞
［表示システムの全体構成］
図１は、本発明の第１の実施の形態に係る表示システムのブロック構成を表すものである。この表示システムは、時分割駆動方式の立体映像表示システムであり、本発明の第１の実施の形態に係る表示装置（液晶表示装置１）と、シャッター眼鏡６とを備えている。
【００２２】
（液晶表示装置１）
液晶表示装置１は、左右の視差を有する右眼用映像信号ＤＲ（右眼用映像ストリームに属する各右眼用像信号）および左眼用映像信号ＤＬ（左眼用映像ストリームに属する各左眼用映像信号）からなる入力映像信号Ｄinに基づいて、映像表示を行うものである。この液晶表示装置１は、液晶表示パネル２と、バックライト３と、映像信号処理部４１（映像処理部）と、フレームメモリ４２と、シャッター制御部４３と、オーバードライブ処理部４４と、タイミング制御部４５とを有している。液晶表示装置１はまた、バックライト駆動部５０と、データドライバ５１と、ゲートドライバ５２とを有している。なお、映像信号処理部４１、フレームメモリ４２およびオーバードライブ処理部４４が、本発明における「映像処理装置」の一具体例に対応している。
【００２３】
バックライト３は、液晶表示パネル２に対して光を照射する光源であり、例えばＬＥＤ（Light Emitting Diode）や、ＣＣＦＬ（Cold Cathode Fluorescent Lamp）などを含んで構成されている。
【００２４】
液晶表示パネル２は、後述するゲートドライバ５２から供給される駆動信号に従って、データドライバ５１から供給される映像電圧に基づいてバックライト３から発せられる光を変調することにより、入力映像信号Ｄinに基づく映像表示を行うものである。具体的には、詳細は後述するが、右眼用映像信号ＤＲに基づく右眼用映像（右眼用映像ストリームに属する各右眼用単位映像）と、左眼用映像信号ＤＬに基づく左眼用映像（左眼用映像ストリームに属する各左眼用単位映像）とを、時分割で交互に表示している。すなわち、この液晶表示パネル２では、後述する映像信号処理部４１において制御された出力順序に従って映像表示を行うことにより、立体映像表示のための時分割駆動がなされるようになっている。この液晶表示パネル２は、全体としてマトリクス状に並んで配置された複数の画素２０を含んで構成されている。なお、この画素２０の詳細構成については後述する（図２）。
【００２５】
映像信号処理部４１は、入力映像信号Ｄinに対して、右眼用映像信号ＤＲおよび左眼用映像信号ＤＬの出力順序（書き込み順序）の制御を行うことにより、映像信号Ｄ１を生成するものである。具体的には、右眼用映像信号ＤＲおよび左眼用映像信号ＤＬが複数回（ここでは、２回）ずつ連続して出力されつつ、１フレーム期間内においてこれらの映像信号が時分割的に順次切り換わって出力されように、出力順序の制御を行う。すなわち、ここでは、１フレーム期間内において、左眼用映像信号ＤＬ→左眼用映像信号ＤＬ→右眼用映像信号ＤＲ→右眼用映像信号ＤＲの順序で出力されるように、映像信号Ｄ１を生成している。なお、以下、１フレーム期間のうち、左眼用映像信号ＤＬが２回ずつ連続して出力される（書き込まれる）期間を「Ｌサブフレーム期間」、右眼用映像信号ＤＲが２回ずつ連続して出力される（書き込まれる）期間を「Ｒサブフレーム期間」と称する。
【００２６】
フレームメモリ４２は、入力映像信号Ｄinに基づく映像信号を一旦保持するためのメモリである。このフレームメモリ４２には、現在のサブフレーム期間の直前のサブフレーム期間に対応する映像信号（直前単位映像の信号）が映像信号処理部４１から供給され、そのサブフレーム期間内では書き換えられずにそのまま格納されるようになっている。すなわち、映像信号処理部４１から現在出力されている映像信号（現単位映像の信号）とは異なる他の映像信号（他の映像ストリームに属する単位映像の信号）のうち、現在の映像信号の直前に出力された映像信号（直前単位映像の信号）が、そのまま保持される。具体的には、例えば現在がＬサブフレーム期間である場合、このＬサブフレーム期間の間は、直前のＲサブフレーム期間における右眼用映像信号ＤＲが常時格納されている。同様に、現在がＲサブフレーム期間である場合、このＲサブフレーム期間の間は、直前のＬサブフレーム期間における左眼用映像信号ＤＬが常時格納されている。なお、このようなフレームメモリとしては、例えばＳＲＡＭ（Static Random Access Memory）などの種々のメモリを用いることができる。
【００２７】
シャッター制御部４３は、映像信号処理部４１によるタイミング制御に従って、後述するシャッター眼鏡６に対し、左眼用，右眼用の映像の表示タイミングと同期したシャッターのタイミング制御信号（制御信号ＣＴＬ）を出力するものである。なお、この制御信号ＣＴＬは、ここでは例えば赤外線信号等の無線信号であるものとして示しているが、有線信号であってもよい。
【００２８】
オーバードライブ処理部４４は、フレームメモリ４２に保持されている映像信号Ｄ２（保持単位映像の信号）の輝度階調と、映像信号処理部４１から現在出力されている映像信号Ｄ１（現単位映像の信号）の輝度階調とに応じて、映像信号Ｄ１に対してオーバードライブ処理を行うものである。具体的には、詳細は後述するが、映像信号Ｄ１における各映像信号（左眼用映像信号ＤＬおよび右眼用映像信号ＤＲ）において、２回ずつ連続して出力される際の各回とも共通して、その直前の他の異なる映像信号の輝度階調を用いてオーバードライブ処理を行う。これは、上記したように、現在のサブフレーム期間内では、その直前のサブフレーム期間に対応する映像信号が、フレームメモリ４２に常時格納されているためである。これにより、オーバードライブ処理部４４では、例えば現在がＬサブフレーム期間である場合、２回ずつ連続して出力される際の各回とも共通して、その直前のＲサブフレーム期間における右眼用映像信号ＤＲの輝度階調を用いて、オーバードライブ処理を行っている。同様に、現在がＲサブフレーム期間である場合、２回ずつ連続して出力される際の各回とも共通して、その直前のＬサブフレーム期間における左眼用映像信号ＤＬの輝度階調を用いて、オーバードライブ処理を行っている。
【００２９】
このオーバードライブ処理部４４はまた、映像信号Ｄ１に含まれる各映像信号が２回ずつ連続して出力される際の各回のオーバードライブ処理において、オーバードライブ量を規定するルックアップテーブル（ＬＵＴ）として、互いに異なるものを用いている。すなわち、１回目の出力（書き込み）の際と、２回目の出力（書き込み）の際とで、互いに異なるオーバードライブ量を規定するＬＵＴを用いるようになっている。このオーバードライブ用のＬＵＴは、上記した映像信号Ｄ１，Ｄ２の各輝度階調に応じてオーバードライブ量（ここでは、オーバードライブ処理後の映像信号Ｄ３の輝度階調自体）を規定するものである。なお、これらのオーバードライブ処理用のＬＵＴの詳細構成については、後述する（図３）。
【００３０】
タイミング制御部４５は、バックライト駆動部５０、ゲートドライバ５２およびデータドライバ５１の駆動タイミングを制御すると共に、オーバードライブ処理部４４から供給される映像信号Ｄ３をデータドライバ５１へ供給するものである。
【００３１】
ゲートドライバ５２は、タイミング制御部４５によるタイミング制御に従って、液晶表示パネル２内の各画素２０を図示しない走査線（後述するゲート線Ｇ）に沿って線順次駆動するものである。
【００３２】
データドライバ５１は、液晶表示パネル２の各画素２０へそれぞれ、タイミング制御部６１から供給される映像信号Ｄ３に基づく映像電圧を供給するものである。具体的には、映像信号Ｄ３に対してＤ／Ａ（デジタル／アナログ）変換を施すことにより、アナログ信号である映像信号（上記映像電圧）を生成し、各画素２０へ出力するようになっている。
【００３３】
バックライト駆動部５０は、タイミング制御部４５によるタイミング制御に従って、バックライト３の点灯動作（発光動作）を制御するものである。
【００３４】
（シャッター眼鏡６）
シャッター眼鏡６は、液晶表示装置１の観察者（図１において図示せず）が用いることにより立体映像の観察を可能とするものであり、左眼用レンズ６Ｌおよび右眼用レンズ６Ｒを含んで構成されている。
【００３５】
左眼用レンズ６Ｌおよび右眼用レンズ６Ｒにはそれぞれ、例えば液晶シャッターなどの遮光シャッター（図示せず）が設けられている。これらの遮光シャッターにおける遮光機能の有効状態（クローズ（閉）状態）および無効状態（オープン（開）状態）は、シャッター制御部４３から供給される制御信号ＣＴＬにより、任意に制御されるようになっている。具体的には、詳細は後述するが、シャッター眼鏡６では、液晶表示装置１における複数の映像の切り換え表示に同期した開閉動作を行うようになっている。
【００３６】
［画素の詳細構成］
次に、図２を参照して、各画素２０の詳細構成について説明する。図２は、各画素２０内の画素回路の回路構成例を表したものである。
【００３７】
画素２０は、液晶素子２２と、ＴＦＴ（Thin Film Transistor；薄膜トランジスタ）素子２１と、補助容量素子２３とを有している。この画素２０には、駆動対象の画素を線順次で選択するためのゲート線Ｇと、駆動対象の画素に対して映像電圧（データドライバ５１から供給される映像電圧）を供給するためのデータ線Ｄと、補助容量線Ｃｓとが接続されている。
【００３８】
液晶素子２２は、データ線ＤからＴＦＴ素子２１を介して一端に供給される映像電圧に応じて、表示のための動作を行う（表示光を射出する）表示要素として機能している。この液晶素子２２は、例えばＶＡ（Vertical Alignment）モードやＴＮ（Twisted Nematic）モードの液晶により構成された液晶層（図示せず）と、この液晶層を挟む一対の電極（図示せず）とを含んで構成されている。液晶素子２２における一対の電極のうちの一方（一端）側は、ＴＦＴ素子２１のドレインおよび補助容量素子２３の一端に接続され、他方（他端）側は接地されている。
【００３９】
補助容量素子２３は、液晶素子２２の蓄積電荷を安定化させるための容量素子である。この補助容量素子２３の一端は、液晶素子２２の一端およびＴＦＴ素子２１のドレインに接続され、他端は補助容量線Ｃｓに接続されている。
【００４０】
ＴＦＴ素子２１は、ＭＯＳ−ＦＥＴ（Metal Oxide Semiconductor−Field Effect Transistor）により構成されている。このＴＦＴ素子２１のゲートはゲート線Ｇに接続され、ソースはデータ線Ｄに接続され、ドレインは液晶素子２２および補助容量素子２３の一端同士に接続されている。ＴＦＴ素子２１は、液晶素子２２および補助容量素子２３の一端同士に対し、映像信号Ｄ３に基づく映像電圧を供給するためのスイッチング素子として機能している。具体的には、ゲートドライバ５２からゲート線Ｇを介して供給される選択信号に応じて、データ線Ｄと液晶素子２２および補助容量素子２３の一端同士との間を選択的に導通させるようになっている。
【００４１】
［オーバードライブ処理用のＬＵＴの詳細構成］
次に、図３を参照して、オーバードライブ処理用のＬＵＴの詳細構成について説明する。図３は、このオーバードライブ処理用のＬＵＴの詳細構成例を表したものである。具体的には、図３（Ａ）は、前述した各サブフレーム期間（Ｌサブフレーム期間およびＲサブフレーム期間）における１回目の出力（書き込み）の際に用いられる第１のルックアップテーブルＬＵＴ１を示している。図３（Ｂ）は、各サブフレーム期間における２回目の出力（書き込み）の際に用いられる第２のルックアップテーブルＬＵＴ２を示している。
【００４２】
これらの第１，第２のルックアップテーブルＬＵＴ１，ＬＵＴ２では、映像信号Ｄ１，Ｄ２の各輝度階調に応じて、オーバードライブ量（ここでは、映像信号Ｄ３の輝度階調自体）を規定している。なお、ここでは、映像信号Ｄ１〜Ｄ３の輝度階調がそれぞれ、一例として０〜２５５階調の範囲で示されるものとすると共に、第１，第２のルックアップテーブルＬＵＴ１，ＬＵＴ２ではそれぞれ一部の階調のみを代表して示しており、以下同様である。
【００４３】
ここで、図３（Ａ）に示した第１のルックアップテーブルＬＵＴ１では、従来のオーバードライブ処理と同様に、映像信号Ｄ３に基づく映像電圧による表示輝度が所望（目標）の階調となるように、映像信号Ｄ３の階調が設定されている。具体的には、映像信号Ｄ１，Ｄ２間の輝度階調差よりも映像信号Ｄ２，Ｄ３間の輝度階調差のほうが大きくなる方向に、オーバードライブ量に対応する映像信号Ｄ３の階調が設定されている。
【００４４】
一方、図３（Ｂ）に示した第２のルックアップテーブルＬＵＴ２は、目標の輝度階調に保持もしくは到達させるための微調整用となっている。具体的には、揺り戻し現象の補正などを行い、各サブフレーム期間における１回目の出力（書き込み）の際に到達した目標の輝度値を、２回目の出力（書き込み）期間において保持するためのオーバードライブ量が設定されている。また、１回目の出力（書き込み）の際に目標の輝度階調に到達することができなかった場合においては、２回目の出力（書き込み）の際に目標の輝度階調に到達させるためのオーバードライブ量が設定されている。
【００４５】
［表示システムの作用・効果］
次に、本実施の形態の表示システムの作用および効果について説明する。
【００４６】
（１．立体映像表示動作）
最初に、図１，図２，図４〜図６を参照して、表示システムにおける立体映像表動作について説明する。
【００４７】
（１−１．基本動作）
この表示システムでは、図１に示したように液晶表示装置１において、映像信号処理部４１が入力映像信号Ｄinに対し、右眼用映像信号ＤＲおよび左眼用映像信号ＤＬの出力順序（書き込み順序）の制御を行い、映像信号Ｄ１を生成する。また、フレームメモリ４２には、入力映像信号Ｄinに基づく映像信号が一旦保持される。そして、オーバードライブ処理部４４では、フレームメモリ４２に保持されている映像信号Ｄ２の輝度階調と、映像信号処理部４１から現在出力されている映像信号Ｄ１の輝度階調とに応じて、映像信号Ｄ１に対してオーバードライブ処理を行い、映像信号Ｄ３を生成する。一方、シャッター制御部４３は、映像信号処理部４１によるタイミング制御に従って、シャッター眼鏡６に対し、左眼用，右眼用の映像の表示タイミングと同期したシャッターの制御信号ＣＴＬを出力する。次に、オーバードライブ処理部４４から出力される映像信号Ｄ３は、タイミング制御部４５を介してデータドライバ５１へ供給される。データドライバ５１では、映像信号Ｄ３に対してＤ／Ａ変換を施し、アナログ信号である映像電圧を生成する。そして、ゲートドライバ５２およびデータドライバ５１から出力される各画素２０への駆動電圧によって、画素２０ごとに、線順次の表示駆動動作がなされる。
【００４８】
具体的には、図２に示したように、ゲートドライバ５２からゲート線Ｇを介して供給される選択信号に応じて、ＴＦＴ素子２１のオン・オフ動作が切り替えられる。これにより、データ線Ｄと液晶素子２２および補助容量素子２３との間が選択的に導通される。その結果、データドライバ５１から供給される映像信号Ｄ３に基づく映像電圧が液晶素子２２へと供給され、表示駆動動作がなされる。
【００４９】
すると、データ線Ｄと液晶素子２２および補助容量素子２３との間が導通された画素２０では、バックライト３からの照明光が液晶表示パネル２において変調され、表示光として出射される。これにより、入力映像信号Ｄinに基づく映像表示が、液晶表示装置１において行われる。具体的には、右眼用映像信号ＤＲに基づく右眼用映像と、左眼用映像信号ＤＬに基づく左眼用映像とが、時分割で交互に表示される（時分割駆動がなされる）。
【００５０】
この際、図４（Ａ）に示したように、左眼用の映像表示のときには、制御信号ＣＴＬにより、観察者７が用いるシャッター眼鏡６において、右眼用レンズ６Ｒにおける遮光機能が有効状態となると共に、左眼用レンズ６Ｌにおける遮光機能が無効状態となる。すなわち、左眼用レンズ６Ｌでは、左眼用の映像表示による表示光ＬＬの透過に対して開（オープン）状態となり、右眼用レンズ６Ｒでは、この表示光ＬＬの透過に対して閉（クローズ）状態となる。一方、図４（Ｂ）に示したように、右眼用の映像表示のときには、制御信号ＣＴＬにより、左眼用レンズ６Ｌにおける遮光機能が有効状態となると共に、右眼用レンズ６Ｒにおける遮光機能が無効状態となる。すなわち、右眼用レンズ６Ｒでは、右眼用の映像表示による表示光ＬＲの透過に対して開状態となり、左眼用レンズ６Ｌでは、この表示光ＬＲの透過に対して閉状態となる。そして、このような状態が時分割で交互に繰り返されるため、液晶表示装置１の表示画面を観察者７がシャッター眼鏡６をかけて観察することにより、立体映像の観察が可能となる。すなわち、観察者７は、左眼用映像を左眼７Ｌ、右眼用映像を右眼７Ｒで見ることができ、これらの左眼用映像と右眼用映像との間には視差があるため、観察者７には奥行きのある立体的な映像として認識される。
【００５１】
（１−２．連続書き込み・表示動作）
ここで、図５は、このような時分割駆動方式を用いた従来の立体映像表示動作をタイミング図で表したものであり、（Ａ）は映像の書き込み・表示動作を、（Ｂ）はシャッター眼鏡６（左眼用レンズ６Ｌ，右眼用レンズ６Ｒ）の状態を示している。なお、図５（Ａ）において、実線の矢印は右眼用映像信号の書き込みタイミング（Ｒ書き込みタイミング）を、破線の矢印は左眼用映像信号の書き込みタイミング（Ｌ書き込みタイミング）を示し、以下同様である。また、同図において、破線で囲んで示した「Ｒ０」，「Ｌ１」等の期間は、右眼用映像Ｒ０，左眼用映像Ｌ１等において所望の表示輝度に到達している期間を示し、以下同様である。一方、図５（Ｂ）において、黒色で示した期間は、左眼用レンズ６Ｌ，右眼用レンズ６Ｒにおけるシャッター閉（クローズ）期間を、白色で示した期間は、それらにおけるシャッター開（オープン）期間ＴonＬ，ＴonＲを示し、以下同様である。
【００５２】
この従来の立体映像表示動作では、図５（Ａ）に示したように、１フレーム期間のうちの各Ｌサブフレーム期間において、左眼用映像信号が１回ずつ液晶表示パネル２に書き込まれ、これにより左眼用映像Ｌ１，Ｌ２等が表示される。また、同様に各Ｒサブフレーム期間において、右眼用映像信号が１回ずつ液晶表示パネル２に書き込まれ、これにより右眼用映像Ｒ０，Ｒ１等が表示される。このとき、液晶表示パネル２において液晶の応答に時間を要するため、各書き込みタイミングから所望の表示輝度に到達するまでに時間を要している。すなわち、Ｌ書き込みタイミングから所望の左眼用映像の輝度階調が表示される（所望の左眼用映像の輝度階調に達する）まで、およびＲ書き込みタイミングから所望の右眼用映像の輝度階調が表示される（所望の右眼用映像の輝度階調に達する）までに、時間を要する。一方、図５（Ｂ）に示したように、シャッター眼鏡６では、例えばＬ書き込みタイミングとＲ書き込みタイミングとの間に、左眼用レンズ６Ｌ，右眼用レンズ６Ｒにおけるシャッター開期間ＴonＬ，ＴonＲが設定されている。
【００５３】
ところが、時分割駆動方式を用いた液晶表示装置では、図５（Ａ）中に示したように、１フレーム期間内で各映像が画面の上部から下部へ向けて線順次で書き込まれるため、どのようなシャッター開期間ＴonＬ，ＴonＲを設定した場合でも、以下のような問題が生じる。すなわち、例えば図５（Ａ）中の符号Ｐ１００Ｌ，Ｐ１００Ｒで示したように、連続する映像（右眼用映像，左眼用映像）同士の間で、混ざり込み（干渉、クロストーク）が生じてしまう。このようなクロストークが生じると、立体映像表示システムでは画面の上部や下部において左右逆の映像を観察することになり、正常な立体映像として認識されにくくなる。このようなクロストークは、液晶表示装置における応答速度不足や、シャッター眼鏡におけるシャッターのコントラスト不足など、表示装置やシャッター眼鏡の特性上の理由により生ずるものである。
【００５４】
そこで、本実施の形態では、図６に示したような連続書き込み方式による立体映像表示動作を行っている。図６は、本実施の形態の表示システムにおける立体映像表示動作の概要をタイミング図で表したものであり、図５と同様に、（Ａ）は映像の書き込み・表示動作を、（Ｂ）はシャッター眼鏡６（左眼用レンズ６Ｌ，右眼用レンズ６Ｒ）の状態を示している。
【００５５】
この連続書き込み方式による立体映像表示動作では、図６（Ａ）に示したように、１フレーム期間のうちの各Ｌサブフレーム期間において、左眼用映像信号が連続して２回ずつ液晶表示パネル２に書き込まれ、これにより左眼用映像Ｌ１，Ｌ２等が表示される。また、同様に各Ｒサブフレーム期間において、右眼用映像信号が連続して２回ずつ液晶表示パネル２に書き込まれ、これにより右眼用映像Ｒ０，Ｒ１等が表示される。すなわち、１フレーム期間内において、例えば、左眼用映像Ｌ１→左眼用映像Ｌ１→右眼用映像Ｒ１→右眼用映像Ｒ１の順に表示される。そして、各サブフレーム期間（Ｌサブフレーム期間，Ｒサブフレーム期間）において、２回目の映像信号（左眼用映像信号または右眼用映像信号）の書き込みが完了して、画面全体において液晶が所望の階調輝度を保持している期間に、シャッター眼鏡６が開状態となる。すなわち、図６（Ｂ）に示したように、２回目のＬ書き込みタイミングまたはＲ書き込みタイミングと、次の他方の映像用の１回目の書き込みタイミングとの間に、シャッター開期間ＴonＬ，ＴonＲが設定されている。
【００５６】
これにより、図５に示した従来の立体映像表示動作とは異なり、理想的には画面全体が同一映像（右眼用映像または左眼用映像）を表示している期間にのみ、シャッター眼鏡６を開状態とすることができるため、従来と比べてクロストークが抑制される。
【００５７】
（２．オーバードライブ処理）
次に、図３，図７〜図１０を参照して、本発明の特徴的部分の１つであるオーバードライブ処理について、比較例と比較しつつ詳細に説明する。
【００５８】
まず、本実施の形態では、上記したような連続書き込み・表示動作を行うことにより、立体映像表示動作時のクロストークが従来よりも抑制される。
【００５９】
ただし、上記のような時分割駆動方式による立体映像表示時には、複数の映像（右眼用映像または左眼用映像）が常に繰り返して表示されるため、液晶が定常状態に落ち着くことがない場合が多い。したがって、液晶の応答速度不足を補うため、従来の２次元表示動作の際に用いていた、定常状態からの遷移を前提としたオーバードライブ処理をそのまま適用した場合、最適な印加電圧値を得られず、目標輝度とのずれが生じるため、クロストークが発生してしまう。また、上記した連続書き込み方式による立体映像表示動作に従来のオーバードライブ処理をそのまま適用した場合にも、以下説明するように、同様に目標輝度とのずれが生じ、クロストークが発生してしまうことになる。
【００６０】
（２−１．比較例のオーバードライブ処理）
図７は、比較例に係るオーバードライブ処理をタイミング図で表したものであり、従来の２次元表示動作の際に用いていたオーバードライブ処理を、そのまま本実施の形態における連続書き込み・表示動作に対して適用したものに対応している。この図７において、（Ａ）は映像信号Ｄ１を、（Ｂ）はフレームメモリから出力される映像信号Ｄ１０２（映像信号Ｄ２に対応）を、（Ｃ）はオーバードライブ処理部から出力される映像信号Ｄ１０３（映像信号Ｄ３に対応）を示している。また、図中の「ＳＦＲ０２」は、右眼用映像Ｒ０を書き込むための（表示するための）Ｒサブフレーム期間における、２回目の書き込み期間に対応するサブフレーム期間を示している。同様に、「ＳＦＬ１１」，「ＳＦＬ１２」はそれぞれ、左眼用映像Ｌ１を書き込むためのＬサブフレーム期間における、１，２回目の書き込み期間に対応するサブフレーム期間を示している。「ＳＦＲ１１」，「ＳＦＲ１２」はそれぞれ、右眼用映像Ｒ１を書き込むためのＲサブフレーム期間における、１，２回目の書き込み期間に対応するサブフレーム期間を示している。また、図中の「ＯＤ用ＬＵＴ」は、従来のオーバードライブ（ＯＤ）処理の際に用いるルックアップテーブル（ＬＵＴ）を示している。また、図中の「Ｌ１OD」，「Ｒ１OD」はそれぞれ、左眼映像Ｌ１，右眼用映像Ｒ１に対してオーバードライブ処理を施した後の左眼用映像，右眼用映像を示している。なお、図中のこれらの意味については、以下同様である。
【００６１】
この比較例のオーバードライブ処理では、連続書き込みの回ごとに、現在の映像（単位映像）とその直前の映像（単位映像）とが同一か否か（同一の映像ストリームに属しているか否か）によらず、常に直前の映像の輝度階調と現在の映像の輝度階調とに応じてオーバードライブ処理を行う。具体的には、例えば左眼用映像Ｌ１を書き込みためのＬサブフレーム期間では、以下のようなオーバードライブ処理が行われる。まず、１回目のサブフレーム期間ＳＦＬ１１では、フレームメモリ内の映像信号Ｄ１０２（直前の映像：Ｒ０）の輝度階調と、処理対象である映像信号Ｄ１（現在の映像：Ｌ１）の輝度階調とに応じてオーバードライブ処理がなされ、左眼用映像Ｌ１ODが生成される。次に、２回目のサブフレーム期間ＳＦＬ１２では、フレームメモリ内の映像信号Ｄ１０２（直前の映像：Ｌ１）の輝度階調と、処理対象である映像信号Ｄ１（現在の映像：Ｌ１）の輝度階調とに応じて、オーバードライブ処理がなされることになる。ところが、この場合には直前の映像と現在の映像とが両方とも同一の映像（左眼用映像Ｌ１）であることから、実際には輝度階調差が生じずにオーバードライブ処理がなされないため、左眼用映像Ｌ１がそのまま映像信号Ｄ１０３として出力される。つまり、２回の連続書き込みのうち、実質的には１回目にだけオーバードライブ処理がなされることになるため、オーバードライブ処理の機能を十分には発揮することができない。
【００６２】
具体的には、例えば図８中の符号Ｐ１０１〜Ｐ１０３で示したように、液晶素子２２における表示輝度のタイミング波形（応答波形）において、目標輝度（図中の実線で示した輝度比の階調）との間に大きなずれが生じ、クロストークが発生してしまう。なお、図８中の「０−６４」等は、右眼用映像信号と左眼用映像信号との間で、０階調，６４階調間の輝度階調差が生じている場合を示している。具体的には、「０階調→０階調→６４階調→６４階調→０階調→０階調→６４階調→６４階調→…」と遷移した場合の例を示しており、後述する図１０についても同様である。
【００６３】
（２−２．本実施の形態のオーバードライブ処理）
これに対し、本実施の形態では、オーバードライブ処理部４４において、フレームメモリ４２に保持されている映像信号Ｄ２の輝度階調と、映像信号処理部４１から現在出力されている映像信号Ｄ１の輝度階調とに応じて、以下説明するオーバードライブ処理を行っている。具体的には、映像信号Ｄ１に含まれる各映像信号（右眼用映像信号ＤＲおよび左眼用映像信号ＤＬ）における各回の出力ごとにオーバードライブ処理を行い、映像信号Ｄ３を生成している。
【００６４】
図９は、本実施の形態のオーバードライブ処理をタイミング図で表したものであり、（Ａ）は映像信号Ｄ１を、（Ｂ）は映像信号Ｄ２を、（Ｃ）は映像信号Ｄ３を示している。
【００６５】
この本実施の形態のオーバードライブ処理では、映像信号Ｄ１に含まれる各映像信号（左眼用映像信号ＤＬおよび右眼用映像信号ＤＲ）において、２回ずつ連続して出力される際の各回とも共通して、その直前の他の異なる映像信号の輝度階調を用いている。これは、前述したように、現在のサブフレーム期間（Ｌサブフレーム期間またはＲサブフレーム期間）内では、その直前のサブフレーム期間に対応する映像信号が、フレームメモリ４２に常時格納されているためである。
【００６６】
これにより、オーバードライブ処理部４４では、例えば現在がＬサブフレーム期間である場合、２回ずつ連続して出力される際の各回とも共通して、その直前のＲサブフレーム期間における右眼用映像信号ＤＲの輝度階調を用いて、オーバードライブ処理を行っている。具体的には、例えば左眼用映像Ｌ１を書き込みためのＬサブフレーム期間では、以下のようなオーバードライブ処理が行われる。まず、１回目のサブフレーム期間ＳＦＬ１１では、フレームメモリ内の映像信号Ｄ２（直前のＲサブフレーム期間の映像：Ｒ０）の輝度階調と、処理対象である映像信号Ｄ１（現在の映像：Ｌ１）の輝度階調とに応じてオーバードライブ処理がなされ、左眼用映像Ｌ１OD1が生成される。次に、２回目のサブフレーム期間ＳＦＬ１２においても同様に、映像信号Ｄ２（直前のＲサブフレーム期間の映像：Ｒ０）の輝度階調と、映像信号Ｄ１（現在の映像：Ｌ１）の輝度階調とに応じてオーバードライブ処理がなされ、左眼用映像Ｌ１OD2が生成される。すなわち、上記した比較例とは異なり、２回目のサブフレーム期間ＳＦＬ１２においても、直前の映像と現在の映像とが両方とも同一の映像となってしまうことが回避され、輝度階調差が生じずにオーバードライブ処理がなされないということがなくなる。
【００６７】
一方、例えば現在がＲサブフレーム期間である場合、オーバードライブ処理部４４では同様に、２回ずつ連続して出力される際の各回とも共通して、その直前のＬサブフレーム期間における左眼用映像信号ＤＬの輝度階調を用いて、オーバードライブ処理を行っている。具体的には、例えば右眼用映像Ｒ１を書き込みためのＲサブフレーム期間では、以下のようなオーバードライブ処理が行われる。まず、１回目のサブフレーム期間ＳＦＲ１１では、フレームメモリ内の映像信号Ｄ２（直前のＬサブフレーム期間の映像：Ｌ１）の輝度階調と、処理対象である映像信号Ｄ１（現在の映像：Ｒ１）の輝度階調とに応じてオーバードライブ処理がなされ、左眼用映像Ｒ１OD1が生成される。次に、２回目のサブフレーム期間ＳＦＲ１２においても同様に、映像信号Ｄ２（直前のＬサブフレーム期間の映像：Ｌ１）の輝度階調と、映像信号Ｄ１（現在の映像：Ｒ１）の輝度階調とに応じてオーバードライブ処理がなされ、左眼用映像Ｒ１OD2が生成される。すなわち、この場合も比較例とは異なり、２回目のサブフレーム期間ＳＦＲ１２においても、直前の映像と現在の映像とが両方とも同一の映像となってしまうことが回避され、輝度階調差が生じずにオーバードライブ処理がなされないということがなくなる。
【００６８】
そして、オーバードライブ処理部４４はまた、映像信号Ｄ１に含まれる各映像信号における、２回ずつ連続して出力される際の各回において、オーバードライブ量を規定するルックアップテーブル（ＬＵＴ）として、互いに異なるものを用いるようになっている。すなわち、１回目の出力（書き込み）の際と、２回目の出力（書き込み）の際とで、互いに異なるオーバードライブ量（ここでは、映像信号Ｄ３の輝度階調自体）を規定するＬＵＴを用いている。
【００６９】
具体的には、１回目の出力（書き込み）の際（前述したサブフレーム期間ＳＦＬ１１，ＳＦＲ１１等に対応）に用いられるＬＵＴは、例えば図３（Ａ）に示した第１のルックアップテーブルＬＵＴ１のようになる。この第１のルックアップテーブルＬＵＴ１では、従来のオーバードライブ処理と同様に、映像信号Ｄ３に基づく映像電圧による表示輝度が所望（目標）の階調となるように、映像信号Ｄ３の階調が設定されている。具体的には、映像信号Ｄ１，Ｄ２間の輝度階調差よりも映像信号Ｄ２，Ｄ３間の輝度階調差のほうがより大きくなる方向に、オーバードライブ量に対応する映像信号Ｄ３の階調が設定されている。これにより、従来のオーバードライブ処理と同様に、液晶の応答速度が向上することになる。
【００７０】
一方、２回目の出力（書き込み）の際（前述したサブフレーム期間ＳＦＬ１２，ＳＦＲ１２等に対応）に用いられるＬＵＴは、例えば図３（Ｂ）に示した第２のルックアップテーブルＬＵＴ２のようになる。この第２のルックアップテーブルＬＵＴ２は、目標の輝度階調に保持もしくは到達させるための微調整用となっている。具体的には、揺り戻し現象の補正などを行い、各サブフレーム期間における１回目の出力（書き込み）の際に到達した目標の輝度値を、２回目の出力（書き込み）期間において保持するためのオーバードライブ量が設定されている。また、１回目の出力（書き込み）の際に目標の輝度階調に到達することができなかった場合においては、２回目の出力（書き込み）の際に目標の輝度階調に到達させるためのオーバードライブ量が設定されている。これにより、上記した比較例とは異なり、２回目の出力（書き込み）の際に、目標の輝度を保持することが可能になる。
【００７１】
このようにして本実施の形態では、映像信号Ｄ１に含まれる各映像信号（左眼用映像信号ＤＬおよび右眼用映像信号ＤＲ）において、２回ずつ連続して出力される際の各回とも共通して、その直前の他の異なる映像信号の輝度階調を用いてオーバードライブ処理が行われる。これにより、映像出力の回ごとに、現在の映像とその直前の映像とが同一か否かによらずに常に直前の映像との輝度階調差に応じてオーバードライブ処理を行っている上記比較例と比べ、オーバードライブ処理後の映像信号Ｄ３に基づく液晶素子２２での表示輝度と、目標輝度とのずれが低減される。
【００７２】
具体的には、例えば図１０中の符号Ｐ１〜Ｐ３で示したように、液晶素子２２に（印加される映像電圧により）表示される輝度のタイミング波形（応答波形）において、目標輝度との間のずれが、上記比較例の場合（図８）と比べて低減する。したがって、この比較例と比べ、連続する複数の映像間の干渉（クロストーク）も抑えられることになる。
【００７３】
以上のように本実施の形態では、映像信号処理部４１から現在出力されている映像信号（左眼用映像信号ＤＬまたは右眼用映像信号ＤＲ）とは異なる他の映像信号（右眼用映像信号ＤＲまたは左眼用映像信号ＤＬ）のうち、現在の映像信号の直前に出力された映像信号をそのままフレームメモリ４２に保持させると共に、このフレームメモリ４２に保持されている映像信号Ｄ２の輝度階調と、映像信号処理部４１から現在出力されている映像信号Ｄ１の輝度階調とに応じて、映像信号Ｄ１に対してオーバードライブ処理を行うようにしたので、映像出力の回ごとに現在の映像とその直前の映像とが同一か否かによらず、常に直前の単位映像の輝度階調と現在の単位映像の輝度階調とに応じてオーバードライブ処理を行う場合と比べ、オーバードライブ処理後の映像信号Ｄ３に基づく表示輝度と目標輝度とのずれを低減することができる。よって、連続する複数の映像間の干渉（クロストーク）を抑制することが可能となる。
【００７４】
また、オーバードライブ処理部４４において、２回ずつ連続して出力される際の各回において、互いに異なるルックアップテーブルＬＵＴ１，ＬＵＴ２を用いると共に、このうちのルックアップテーブルＬＵＴ２では、１回目の出力（書き込み）の際のオーバードライブ処理後において、揺り戻し現象の補正などを行うための微調整用のオーバードライブ量（映像信号Ｄ３の階調）が設定されているようにしたので、目標の輝度を保持することが可能となる。よって、画面全体が目標輝度となっている期間にシャッターを開状態とすることができ、クロストークを抑制することが可能となる。
【００７５】
＜第２の実施の形態＞
次に、本発明の第２の実施の形態について説明する。なお、上記第１の実施の形態と同様の構成要素については、同一の符号を付し、適宜説明を省略する。
【００７６】
図１１は、本実施の形態に係るオーバードライブ処理をタイミング図で表したものであり、（Ａ）は映像信号Ｄ１を、（Ｂ）は映像信号Ｄ２を、（Ｃ）は映像信号Ｄ３を示している。
【００７７】
本実施の形態のオーバードライブ処理では、映像処理部４１において、以下説明する置換用ＬＵＴを用いることにより、入力映像信号Ｄin（映像信号Ｄ１）の輝度階調を置換して置換映像信号を生成し、これをフレームメモリ４２に保持させるようになっている。具体的には、例えば前述したサブフレーム期間ＳＦＲ０２では、置換用ＬＵＴを用いることにより、映像信号Ｄ１（右眼用映像Ｒ０）の輝度階調を置換して置換映像信号である映像信号Ｄ２（右眼用映像Ｒ０’）を生成し、これをフレームメモリ４２に保持させている。同様に、サブフレーム期間ＳＦＬ１２では、置換用ＬＵＴを用いることにより、映像信号Ｄ１（右眼用映像Ｌ１）の輝度階調を置換して置換映像信号である映像信号Ｄ２（右眼用映像Ｌ１’）を生成し、これをフレームメモリ４２に保持させている。また、サブフレーム期間ＳＦＲ１２では、置換用ＬＵＴを用いることにより、映像信号Ｄ１（右眼用映像Ｒ１）の輝度階調を置換して置換映像信号である映像信号Ｄ２（右眼用映像Ｒ１’）を生成し、これをフレームメモリ４２に保持させている。
【００７８】
図１２は、置換用ルックアップテーブルＬＵＴ０の一例を表したものである。このＬＵＴ０では、書き換え（更新）前のフレームメモリ４２内の映像信号Ｄ２の輝度階調と、現在の映像信号Ｄ１の輝度階調とに応じて、置換量（ここでは、書き換え（更新）後の映像信号Ｄ２（置換映像信号）の輝度階調自体）を規定している。なお、ここでは、映像信号Ｄ１，Ｄ２の輝度階調がそれぞれ、一例として０〜２５５階調の範囲で示されるものとすると共に、置換ルックアップテーブルＬＵＴ０では一部の階調のみを代表して示しており、以下同様である。このＬＵＴ０ではまた、所定の範囲内の階調遷移に対応する場合に、選択的に置換量が設定されている。この所定の範囲内の階調遷移とは、ここでは、１つ目は、映像信号Ｄ２（書き換え前）での高輝度階調から映像信号Ｄ１での低輝度階調への階調遷移である。また、２つ目は、映像信号Ｄ２（書き換え前）での低輝度階調から映像信号Ｄ１での中間輝度階調への階調遷移である。
【００７９】
ここで、図１３は、液晶素子２２に（印加される映像電圧により）表示される輝度のタイミング波形（応答波形）を、置換なしの場合（上記第１の実施の形態に対応）と、置換ありの場合（本実施の形態に対応）とのそれぞれについて示したものである。ここでは、映像信号Ｄ１において、右眼用映像信号ＤＲ，左眼用映像信号ＤＬにおける２回連続書き込みの際の輝度階調が、「２５５階調→２５５階調→０階調→０階調→１２８階調→１２８階調→２５５階調→２５５階調」と遷移した場合の例に対応している。なお、図１３では、このうちの、「２５５階調→０階調→０階調→１２８階調→１２８階調→２５５階調」と遷移する部分についての表示輝度のタイミング波形（応答波形）を示している（図１１，図１３中の括弧内に、この場合の輝度階調を示している）。
【００８０】
置換なしの場合、２５５階調（サブフレーム期間ＳＦＲ０２）から０階調（サブフレーム期間ＳＦＬ１１，ＳＦＬ１２）への遷移が、高階調から低階調への階調遷移であるため、遷移後に液晶の状態が０階調に到達しきれていないことになる。そして、その後の０階調（サブフレーム期間ＳＦＬ１１，ＳＦＬ１２）から１２８階調（サブフレーム期間ＳＦＲ１１，ＳＦＲ１２）への遷移の際には、置換なしの場合には０階調→１２８階調の遷移に対応する過剰なオーバードライブ処理が施される。このため、図１３に示したように、表示輝度の応答波形において、目標輝度（ここでは、１２８階調での輝度）との間のずれが依然として多少残ってしまっている。
【００８１】
これに対し、置換ありの場合、図１１および図１２中の符号Ｐ４で示したように、０階調（サブフレーム期間ＳＦＬ１１，ＳＦＬ１２）から１２８階調（サブフレーム期間ＳＦＲ１１，ＳＦＲ１２）への遷移の際に、映像信号Ｄ１に対して以下のような置換を行う。すなわち、映像信号処理部４１において、映像信号Ｄ１（左眼用映像Ｌ１）の輝度階調を、０階調から２８階調へと置換して置換映像信号（映像信号Ｄ２；左眼用映像Ｌ１’）を生成し、これをフレームメモリ４２に保持させる。したがって、この０階調から１２８階調への遷移の際に、０階調→１２８階調の遷移ではなく、２８階調→１２８階調の遷移に対応するオーバードライブ処理が施されることになり、上記した置換なしの場合と比べてオーバードライブ量が抑えられる。これにより、図１３中の矢印で示したように、表示輝度の応答波形において、目標輝度（ここでは、１２８階調での輝度）との間のずれが、置換なしの場合と比べて低減する。その結果、この置換なしの場合と比べ、動画表示時における過補償や尾引きといった現象が抑えられることになる。
【００８２】
以上のように本実施の形態では、映像処理部４１において、置換用ルックアップテーブルＬＵＴ０を用いることにより、入力映像信号Ｄin（映像信号Ｄ１）の輝度階調を置換して置換映像信号を生成し、これをフレームメモリ４２に保持させるようにしたので、上記した所定の範囲内の階調遷移に対応する場合において、過剰なオーバードライブ処理を抑えることができる。よって、時分割起動方式における動画表示時の過補償や尾引きといった現象を抑えることができ、動画表示品質を向上させることが可能となる。
【００８３】
具体的には、置換用ルックアップテーブルＬＵＴ０において、上記所定の範囲内の階調遷移が、映像信号Ｄ２（書き換え前）での高輝度階調から映像信号Ｄ１での低輝度階調への階調遷移、または、映像信号Ｄ２（書き換え前）での低輝度階調から映像信号Ｄ１での中間輝度階調への階調遷移である場合に、選択的に置換量が設定されているようにしたので、上記のような効果を得ることが可能となる。
【００８４】
＜変形例＞
次に、本発明の変形例をいくつか挙げて説明する。なお、上記実施の形態と同様の構成要素については、同一の符号を付し、適宜説明を省略する。
【００８５】
（変形例１，２）
図１４は、本発明の変形例１に係るオーバードライブ処理をタイミング図で表したものであり、図１５は、本発明の変形例２に係るオーバードライブ処理をタイミング図で表したものである。これらの図において、（Ａ）は映像信号Ｄ１を、（Ｂ）は映像信号Ｄ２を、（Ｃ）は映像信号Ｄ３を示している。なお、図１４に示した変形例１は、上記第１の実施の形態の変形例に対応し、図１５に示した変形例２は、上記第２の実施の形態の変形例に対応している。
【００８６】
これらの変形例１，２では、図１４，図１５に示したように、１フレーム期間のうちの各Ｌサブフレーム期間において、左眼用映像信号が連続して３回ずつ液晶表示パネル２に書き込まれ、これにより左眼用映像Ｌ１，Ｌ２等が表示されるようになっている。また、同様に各Ｒサブフレーム期間において、右眼用映像信号が連続して３回ずつ液晶表示パネル２に書き込まれ、これにより右眼用映像Ｒ０，Ｒ１等が表示される。すなわち、１フレーム期間内において、例えば、左眼用映像Ｌ１→左眼用映像Ｌ１→左眼用映像Ｌ１→右眼用映像Ｒ１→右眼用映像Ｒ１→右眼用映像Ｒ１の順に表示される。そして、各サブフレーム期間（Ｌサブフレーム期間，Ｒサブフレーム期間）において、３回目の映像信号（左眼用映像信号または右眼用映像信号）の書き込みが完了して液晶が十分に応答したのちに、シャッター眼鏡６が開状態となるように設定されている。
【００８７】
また、これらの変形例１，２では、例えば現在がＬサブフレーム期間である場合、３回連続して出力される際の各回とも共通して、その直前のＲサブフレーム期間における右眼用映像信号ＤＲの輝度階調を用いて、オーバードライブ処理を行っている。一方、同様に現在がＲサブフレーム期間である場合、３回連続して出力される際の各回とも共通して、その直前のＬサブフレーム期間における左眼用映像信号ＤＬの輝度階調を用いて、オーバードライブ処理を行っている。そして、オーバードライブ処理部４４では、映像信号Ｄ１に含まれる各映像信号における、３回連続して出力される際の各回において、オーバードライブ量を規定するルックアップテーブル（ＬＵＴ）として、互いに異なるものを用いている。すなわち、１回目の出力（書き込み）の際と、２回目の出力（書き込み）の際と、２回目の出力（書き込み）の際とで、互いに異なるオーバードライブ量を規定するＬＵＴを用いている（図１４，１５中の「ＯＤ用ＬＵＴ１〜３」，「Ｌ１OD1〜Ｌ１OD3」参照）。なお、３回目の出力の際に用いられるＬＵＴも、例えば図３（Ｂ）に示した２回目の出力の際に用いられるＬＵＴ２と同様に、いわゆる揺り戻し現象の補正などの微調整用となっている。
【００８８】
また、図１５に示した変形例２では、上記第２の実施の形態と同様に、映像処理部４１において、映像信号Ｄ１の輝度階調を置換して置換映像信号（映像信号Ｄ２）を生成し、これをフレームメモリ４２に保持させている。具体的には、例えばサブフレーム期間ＳＦＲ０３では、置換用ＬＵＴを用いることにより、映像信号Ｄ１（右眼用映像Ｒ０）の輝度階調を置換して置換映像信号である映像信号Ｄ２（右眼用映像Ｒ０’）を生成し、これをフレームメモリ４２に保持させている。同様に、サブフレーム期間ＳＦＬ１３では、置換用ＬＵＴを用いることにより、映像信号Ｄ１（右眼用映像Ｌ１）の輝度階調を置換して置換映像信号である映像信号Ｄ２（右眼用映像Ｌ１’）を生成し、これをフレームメモリ４２に保持させている。
【００８９】
このようにして変形例１，２においても、上記実施の形態と同様の作用により同様の効果を得ることができる。すなわち、１フレーム期間のうちの各サブフレーム期間において、映像信号が連続して３回以上ずつ液晶表示パネル２に書き込まれるようにした場合でも、上記実施の形態と同様の効果を得ることが可能である。
【００９０】
（変形例３）
図１６は、本発明の変形例３に係る表示システム（マルチビューシステム）における映像表示動作の概要を模式的に表したものである。本変形例では、これまで説明した立体映像表示動作の代わりに、複数人の観察者（ここでは、２人の観察者）に対し、互いに異なる複数（ここでは、２つ）の映像を個別に観察することを可能とするマルチ映像表示動作を行うようになっている。
【００９１】
本変形例のマルチビューシステムでは、１人目の観察者に対応する第１の映像信号に基づく第１の映像と、２人目の観察者に対応する第２の映像信号に基づく第２の映像とが、時分割で交互に表示される。すなわち、これまでは、シャッター眼鏡６における左眼用レンズ６Ｌおよび右眼用レンズ６Ｒごとにそれぞれ対応する左眼用映像および右眼用映像が表示されるのに対し、本変形例では、観察者（ユーザ）ごとにそれぞれ対応する複数の映像が表示される。
【００９２】
具体的には、図１６（Ａ）に示したように、第１の映像Ｖ１を表示しているときには、制御信号ＣＴＬ１により、観察者７１が用いるシャッター眼鏡６１において、右眼用レンズ６Ｒおよび左眼用レンズ６Ｌにおける遮光機能がともに有効状態となっている。また、制御信号ＣＴＬ２により、観察者７２が用いるシャッター眼鏡６２において、右眼用レンズ６Ｒおよび左眼用レンズ６Ｌにおける遮光機能がともに無効状態となっている。すなわち、観察者７１のシャッター眼鏡６１では、第１の映像Ｖ１の表示による表示光ＬＶ１の透過に対して開（オープン）状態となり、観察者７２のシャッター眼鏡６２では、この表示光ＬＶ１の透過に対して閉（クローズ）状態となる。
【００９３】
一方、図１６（Ｂ）に示したように、第２の映像Ｖ２を表示しているときには、制御信号ＣＴＬ２により、観察者７２が用いるシャッター眼鏡６２において、右眼用レンズ６Ｒおよび左眼用レンズ６Ｌにおける遮光機能がともに有効状態となっている。また、制御信号ＣＴＬ１により、観察者７１が用いるシャッター眼鏡６１において、右眼用レンズ６Ｒおよび左眼用レンズ６Ｌにおける遮光機能がともに無効状態となっている。すなわち、観察者７２のシャッター眼鏡６２では、第２の映像Ｖ２の表示による表示光ＬＶ２の透過に対して開状態となり、観察者７１のシャッター眼鏡６１では、この表示光ＬＶ２の透過に対して閉状態となる。
【００９４】
そして、このような状態が時分割で交互に繰り返されることにより、２人の観察者７１，７２において、互いに異なる２つの映像（映像Ｖ１，Ｖ２）を個別に観察することが可能となる（マルチビューモードが実現される）。
【００９５】
このようにして本変形例にように、マルチ映像表示動作を行う場合においても、上記実施の形態および変形例１，２で説明したオーバードライブ処理を適用することが可能であり、上記実施の形態等と同様の作用により同様の効果を得ることができる。
【００９６】
なお、本変形例では、２人の観察者において互いに異なる２つの映像を個別に観察する場合について説明したが、３人以上の観察者において互いに異なる３つ以上の映像を個別に観察する場合にも、本発明を適用することが可能である。また、映像の数とシャッター眼鏡の数は必ずしも同数となっていなくともよい。すなわち、ある１つの映像に対応して開閉動作を行うシャッター眼鏡を複数個用意し、１つの映像を複数人の観察者で観察するようにしてもよい。
【００９７】
（その他の変形例）
以上、いくつかの実施の形態および変形例を挙げて本発明を説明したが、本発明はこれらの実施の形態等に限定されず、種々の変形が可能である。
【００９８】
例えば、上記実施の形態等では、時分割駆動方式の一例として、シャッター眼鏡を用いた立体映像表示システムを挙げて説明したが、本発明は、この他にも、例えばフィールドシーケンシャル方式を用いたカラー映像表示装置にも適用することが可能である。この方式のカラー映像表示装置では、１フレーム期間を３分割し、赤（Ｒ）、緑（Ｇ）、青（Ｂ）の各色に対応した映像を順次書き込むと共に、各映像の書き込みに同期してバックライトからＲ，Ｇ，Ｂの色光を発光させるようになっている。すなわち、上記実施の形態等では、互いに異なる複数の映像が、互いに視差を有する左眼用映像および右眼用映像であったのに対し、この場合は、互いに異なる複数の映像が、Ｒ，Ｇ，Ｂの各色に対応した３つの映像となる。
【００９９】
また、上記実施の形態等では、表示装置の一例として、液晶素子を用いて構成された液晶表示部を備えた液晶表示装置を挙げて説明したが、本発明は他の種類の表示装置にも適用することが可能である。具体的には、例えばＰＤＰ（Plasma Display Panel）や有機ＥＬ（Electro Luminescence）ディスプレイなどを用いた表示装置にも適用することが可能である。
【０１００】
更に、上記実施の形態等において説明した一連の処理は、ハードウェアにより行うこともできるし、ソフトウェアにより行うこともできる。一連の処理をソフトウェアによって行う場合には、そのソフトウェアを構成するプログラムが、汎用のコンピュータ等にインストールされるようになっている。このようなプログラムは、コンピュータに内蔵されている記録媒体に予め記録してさせておくようにしてもよい。
【符号の説明】
【０１０１】
１…液晶表示装置、２…液晶表示パネル、２０…画素、２１…ＴＦＴ素子、２２…液晶素子、２３…補助容量素子、３…バックライト、４１…映像信号処理部、４２…フレームメモリ、４３…シャッター制御部、４４…オーバードライブ処理部、４５…タイミング制御部、５０…バックライト駆動部、５１…データドライバ、５２…ゲートドライバ、６，６１，６２…シャッター眼鏡、６Ｌ…左眼用レンズ、６Ｒ…右眼用レンズ、７，７１，７２…観察者（ユーザ）、７Ｌ…左眼、７Ｒ…右眼、Ｄin（ＤＬ，ＤＲ），Ｄ１〜Ｄ３…映像信号、ＣＴＬ，ＣＴＬ１，ＣＴＬ２…制御信号、Ｄ…データ線、Ｇ…ゲート線、Ｃｓ…補助容量線、ＬＵＴ１，ＬＵＴ２…（オーバードライブ処理用）ルックアップテーブル、ＬＵＴ０…置換用ルックアップテーブル、Ｌ，Ｌ１，Ｌ１’，Ｌ１OD1，Ｌ１OD2，Ｌ１OD3，Ｌ２…左眼用映像、Ｒ，Ｒ０，Ｒ０’，Ｒ１，Ｒ１’，Ｒ１OD1，Ｒ１OD2…右眼用映像、Ｖ１，Ｖ２…映像、ＴonＬ，ＴonＲ…シャッター開（オープン）期間、ＬＬ，ＬＲ，ＬＶ１，ＬＶ２…表示光、ＳＦＲ０２，ＳＦＲ０３，ＳＦＬ１１〜ＳＦＬ１３，ＳＦＲ１１〜ＳＦＲ１２…サブフレーム期間。
【図１】
2010282089.tif 000003
【図２】
2010282089.tif 000004
【図３】
2010282089.tif 000005
【図４】
2010282089.tif 000006
【図５】
2010282089.tif 000007
【図６】
2010282089.tif 000008
【図７】
2010282089.tif 000009
【図８】
2010282089.tif 000010
【図９】
2010282089.tif 000011
【図１０】
2010282089.tif 000012
【図１１】
2010282089.tif 000013
【図１２】
2010282089.tif 000014
【図１３】
2010282089.tif 000015
【図１４】
2010282089.tif 000016
【図１５】
2010282089.tif 000017
【図１６】
2010282089.tif 000018